(57)【要約】【課題】ねじ込まれた雄ねじが視認できない場合において、雄ねじの位置の容易かつ正確な確認を実現し、また、位置が確認された雄ねじの容易な取り外しを実現する。【解決手段】雄ねじ探知具１は、雄ねじ２の着脱を行う電動ドライバー３に設けられ、短円筒状の磁石４と、電動ドライバー３のビット８の軸方向へ沿って収縮可能に電動ドライバー３に取付部材１３を介して設けられる支持手段５とを備える。磁石４は、支持手段５に支持されて、ビット８の先端部から先端側へ離れた位置に配置される。ここで、支持手段５が湾曲可能なコイルバネから構成されているので、支持手段５に支持される磁石４は、ビット８を中心とした任意の方向へ移動自在とされる。そして、雄ねじ探知具１は、磁石４にビット８を近づけて支持手段５を収縮させた際には磁石４がビット８の軸方向基端側へ相対移動し、ビット８が磁石４の内穴１２を貫通可能に構成されている。【選択図】図１
2019018300.tif 000002
【特許請求の範囲】
【請求項１】
雄ねじの着脱を行うドライバーに設けられる雄ねじ探知具であって、
筒状の磁石と、
前記ドライバーのビットの軸方向へ沿って収縮可能に前記ドライバーに設けられ、前記ビットの先端部から先端側へ離れた位置に、前記磁石が前記ビットを中心とした任意の方向へ移動自在に支持される支持手段とを備え、
前記磁石に前記ビットを近づけて前記支持手段を収縮させた際には、前記磁石が前記ビットの軸方向基端側へ相対移動し、前記ビットが前記磁石の内穴を貫通可能に構成されている
ことを特徴とする雄ねじ探知具。
【請求項２】
前記支持手段は、前記磁石を前記ビットの先端側へ付勢する部材から構成されている
ことを特徴とする請求項１に記載の雄ねじ探知具。
【請求項３】
前記支持手段は、軸方向先端部に設けられる前記磁石を前記任意の方向へ移動自在に湾曲可能なコイルバネから構成され、軸方向基端側から内部に前記ビットが挿入された状態で前記ドライバーに設けられており、
前記コイルバネの収縮時に前記ビットと前記コイルバネとが絡まるのを防止する防止手段をさらに備える
ことを特徴とする請求項２に記載の雄ねじ探知具。
【請求項４】
前記防止手段は、筒状の部材から構成されており、
前記コイルバネが前記磁石を付勢した状態において、前記防止手段は、軸方向基端側から内穴に前記ビットの先端部が挿入された状態で前記コイルバネの内部に配置されて前記コイルバネに固定される
ことを特徴とする請求項３に記載の雄ねじ探知具。
【請求項５】
前記防止手段は、筒状の部材から構成されており、
前記コイルバネは、前記防止手段を介して互いに接続される第一コイルバネおよび第二コイルバネを有しており、
前記第一コイルバネが内部に軸方向基端側から前記ビットが通された状態で前記ドライバーに設けられると共に、前記防止手段が内穴に軸方向基端側から前記ビットの先端部が挿入された状態で配置され、前記第二コイルバネが前記ビットの先端部から先端側へ延出して配置されており、
前記第二コイルバネは、軸方向先端部に設けられる前記磁石を前記任意の方向へ移動自在に湾曲可能とされる
ことを特徴とする請求項３に記載の雄ねじ探知具。
【請求項６】
前記防止手段の軸方向先端部に前記磁石への係合部が形成される一方、前記磁石の軸方向基端部に前記係合部と係合可能な被係合部が形成されており、
前記第二コイルバネの収縮時に前記係合部が前記被係合部に係合される
ことを特徴とする請求項５に記載の雄ねじ探知具。
【請求項７】
前記第一コイルバネのバネ定数Ｋ１と前記第二コイルバネのバネ定数Ｋ２とがＫ１≦Ｋ２の関係を有しており、
前記ビットの先端部が前記防止手段の内穴に挿入された状態での前記ビットの先端と前記防止手段の軸方向先端との間の前記防止手段の軸方向長さが、前記防止手段の軸方向先端と前記磁石の軸方向基端との間の前記第二コイルバネの軸方向長さよりも長い
ことを特徴とする請求項５または請求項６に記載の雄ねじ探知具。
【請求項８】
前記第一コイルバネのバネ定数Ｋ１と前記第二コイルバネのバネ定数Ｋ２とが、Ｋ１＞Ｋ２の関係を有する
ことを特徴とする請求項５または請求項６に記載の雄ねじ探知具。
【請求項９】
前記支持手段は、前記磁石を前記ビットの先端側へ付勢する第一部材と、この第一部材の先端部に設けられる筒状の第二部材とを有しており、
前記第二部材は、内穴の直径が前記ビットの外径よりも大きく形成され、軸方向基端側から前記内穴に前記ビットの先端部が挿入された状態で前記ビットの先端部よりも先端側へ延出しており、
前記磁石は、前記第二部材の軸方向先端部に設けられる
ことを特徴とする請求項１に記載の雄ねじ探知具。
【発明の詳細な説明】
【技術分野】
【０００１】
本発明は、たとえば、石膏ボードへのパテ処理やクロス張りによって、石膏ボードにねじ込まれた雄ねじが視認できない場合において、雄ねじの位置を特定するための雄ねじ探知具に関するものである。
【背景技術】
【０００２】
下記特許文献１には、石膏ボードやベニヤ板などからなる家屋の壁や天井などの内方に存在する下地材を検出する下地材検出具が開示されている。この下地材検出具は、ガイド体内に磁石が揺動自在に設けられており、その磁石がガイド体の外から視認可能に設けられている。従って、下地材が金属の場合には、下地材に対する磁石の磁力により磁石が前進位置することになり、検出部位の内部の金属の存在を目視確認することができる。
【０００３】
従来、石膏ボードへのパテ処理やクロス張りにより石膏ボードにねじ込まれた雄ねじが視認できない場合には、上記下地材検出具を用いて、雄ねじの位置の特定が行われていた。この位置特定は、下地材が金属であるか否かを確認する前述の場合と同様にして行われる。すなわち、雄ねじが存在する箇所では、雄ねじに対する磁石の磁力により磁石が前進位置することになり、雄ねじの存在を確認することができる。
【先行技術文献】
【特許文献】
【０００４】
【特許文献１】特開２００５−１００５１号公報
【発明の概要】
【発明が解決しようとする課題】
【０００５】
しかしながら、従来の場合、リフォーム工事などの際に石膏ボードを取り外す際には、確認された雄ねじの位置にマーキングを施し、下地材検出具をドライバーに持ち替えて、石膏ボードから雄ねじを取り外す作業を行うことになり、時間と手間がかかる。特に、石膏ボードから取り外される雄ねじの数が多い場合には、それが顕著となる。また、従来の場合、下地材検出具で雄ねじの位置を検出後にマーキングを施すので、検出位置からずれた位置にマーキングを施すおそれがある。すなわち、従来の場合、雄ねじの位置を正確に検出することができないおそれがあった。
【０００６】
本発明は、このような問題に鑑みてなされたものであり、その主たる目的は、被ねじ込み部材に雄ねじがねじ込まれ、雄ねじのねじ頭を隠すよう被ねじ込み部材の表面に被覆材が設けられている場合において、簡易な構成で容易にかつ正確に雄ねじの位置を確認可能とすることにあり、また、位置が確認された雄ねじを被ねじ込み部材から容易に取り外し可能とすることにある。
【課題を解決するための手段】
【０００７】
上記目的を達成するための本発明に係る雄ねじ探知具は、雄ねじの着脱を行うドライバーに設けられる雄ねじ探知具であって、筒状の磁石と、前記ドライバーのビットの軸方向へ沿って収縮可能に前記ドライバーに設けられ、前記ビットの先端部から先端側へ離れた位置に、前記磁石が前記ビットを中心とした任意の方向へ移動自在に支持される支持手段とを備え、前記磁石に前記ビットを近づけて前記支持手段を収縮させた際には、前記磁石が前記ビットの軸方向基端側へ相対移動し、前記ビットが前記磁石の内穴を貫通可能に構成されていることを特徴とする。
【０００８】
また、本発明に係る雄ねじ探知具は、前記支持手段は、前記磁石を前記ビットの先端側へ付勢する部材から構成されていることを特徴とする。
【０００９】
また、本発明に係る雄ねじ探知具は、前記支持手段は、軸方向先端部に設けられる前記磁石を前記任意の方向へ移動自在に湾曲可能なコイルバネから構成され、軸方向基端側から内部に前記ビットが挿入された状態で前記ドライバーに設けられており、前記コイルバネの収縮時に前記ビットと前記コイルバネとが絡まるのを防止する防止手段をさらに備えることを特徴とする。
【００１０】
また、本発明に係る雄ねじ探知具は、前記防止手段は、筒状の部材から構成されており、前記コイルバネが前記磁石を付勢した状態において、前記防止手段は、軸方向基端側から内穴に前記ビットの先端部が挿入された状態で前記コイルバネの内部に配置されて前記コイルバネに固定されることを特徴とする。
【００１１】
また、本発明に係る雄ねじ探知具は、前記防止手段は、筒状の部材から構成されており、前記コイルバネは、前記防止手段を介して互いに接続される第一コイルバネおよび第二コイルバネを有しており、前記第一コイルバネが内部に軸方向基端側から前記ビットが通された状態で前記ドライバーに設けられると共に、前記防止手段が内穴に軸方向基端側から前記ビットの先端部が挿入された状態で配置され、前記第二コイルバネが前記ビットの先端部から先端側へ延出して配置されており、前記第二コイルバネは、軸方向先端部に設けられる前記磁石を前記任意の方向へ移動自在に湾曲可能とされることを特徴とする。
【００１２】
また、本発明に係る雄ねじ探知具は、前記防止手段の軸方向先端部に前記磁石への係合部が形成される一方、前記磁石の軸方向基端部に前記係合部と係合可能な被係合部が形成されており、前記第二コイルバネの収縮時に前記係合部が前記被係合部に係合されることを特徴とする。
【００１３】
また、本発明に係る雄ねじ探知具は、前記第一コイルバネのバネ定数Ｋ１と前記第二コイルバネのバネ定数Ｋ２とがＫ１≦Ｋ２の関係を有しており、前記ビットの先端部が前記防止手段の内穴に挿入された状態での前記ビットの先端と前記防止手段の軸方向先端との間の前記防止手段の軸方向長さが、前記防止手段の軸方向先端と前記磁石の軸方向基端との間の前記第二コイルバネの軸方向長さよりも長いことを特徴とする。
【００１４】
また、本発明に係る雄ねじ探知具は、前記第一コイルバネのバネ定数Ｋ１と前記第二コイルバネのバネ定数Ｋ２とが、Ｋ１＞Ｋ２の関係を有することを特徴とする。
【００１５】
さらに、本発明に係る雄ねじ探知具は、前記支持手段は、前記磁石を前記ビットの先端側へ付勢する第一部材と、この第一部材の先端部に設けられる筒状の第二部材とを有しており、前記第二部材は、内穴の直径が前記ビットの外径よりも大きく形成され、軸方向基端側から前記内穴に前記ビットの先端部が挿入された状態で前記ビットの先端部よりも先端側へ延出しており、前記磁石は、前記第二部材の軸方向先端部に設けられることを特徴とする。
【発明の効果】
【００１６】
本発明に係る雄ねじ探知具は、たとえば、建材に雄ねじがねじ込まれている場合、具体的には、建材が基材とその表面に設けられる化粧材とを備え、基材に雄ねじがねじ込まれ、雄ねじのねじ頭を隠すよう基材の表面に化粧材が設けられている場合において、雄ねじの位置を検出するものである。本発明に係る雄ねじ探知具によれば、磁石は、ドライバーに設けられる支持手段によって、ドライバーのビットの先端部から先端側へ離れた位置に、ビットを中心とした任意の方向へ移動自在に支持される。従って、たとえば、本発明に係る雄ねじ探知具が電動ドライバーに設けられた場合、磁石を化粧材の表面に接触または近接させつつ電動ドライバーを任意の方向へ移動させている際に、磁石の磁力により磁石が雄ねじに引き付けられ、雄ねじの位置を検出することができる。このようにして、雄ねじ探知具は、簡易な構成で容易に雄ねじの位置を検出することができる。また、磁石が任意の方向に移動自在とされるので、雄ねじの検出時に手ブレや電動ドライバーの重みにより電動ドライバーが多少動いたとしても、磁石は引き付けられた位置で安定している。従って、雄ねじの位置を正確に検出することができる。雄ねじの検出後、磁石にビットを近づけて支持手段を収縮させつつビットを磁石に貫通させ、雄ねじのねじ頭にビットを係合させることができる。従って、従来のように下地材検出具とドライバーとを用いる場合と比較して、建材から雄ねじを手間なく取り外すことができる。
【００１７】
また、本発明に係る雄ねじ探知具によれば、支持手段が付勢部材から構成されているので、使用後、磁石を自動的に元の位置に戻すことができる。
【００１８】
また、本発明に係る雄ねじ探知具によれば、支持手段がコイルバネの場合、使用時にコイルバネとビットとが絡まるのを防止手段により防止することができる。
【００１９】
また、本発明に係る雄ねじ探知具によれば、防止手段は、筒状の部材から構成され、内穴にビットの先端部が挿入された状態でコイルバネの内部に固定される。従って、使用時において、ビットが磁石を貫通する前にビットの先端部が防止手段から外方へ突出してコイルバネに絡まるのを簡易な構成で防止することができる。
【００２０】
また、本発明に係る雄ねじ探知具によれば、筒状の部材から構成される防止手段を介して第一コイルバネと第二コイルバネとが互いに接続されると共に、防止手段がその内穴にビットの先端部が挿入された状態で配置される。従って、使用時において、ビットが磁石を貫通する前にビットの先端部が防止手段から外方へ突出してコイルバネに絡まるのを簡易な構成で防止することができる。
【００２１】
また、本発明に係る雄ねじ探知具によれば、第二コイルバネの収縮時に係合部が被係合部に係合される構成であるので、使用時の係合状態においてビットが防止手段を介して磁石の内穴に導かれる。従って、ビットの磁石への貫通をより確実に行うことができ、雄ねじの建材からの取り外しを容易に行うことができる。
【００２２】
また、本発明に係る雄ねじ探知具によれば、第一コイルバネのバネ定数Ｋ１と第二コイルバネのバネ定数Ｋ２とがＫ１≦Ｋ２の関係を有する場合、使用時において、ビットが磁石を貫通する前にビットの先端部が防止手段から外方へ突出してコイルバネに絡まるのをより確実に防止することができる。
【００２３】
また、本発明に係る雄ねじ探知具によれば、第一コイルバネのバネ定数Ｋ１と第二コイルバネのバネ定数Ｋ２とがＫ１＞Ｋ２の関係を有するので、使用時において、ビットが磁石を貫通する前にビットの先端部が防止手段から外方へ突出してコイルバネに絡まるのをより確実に防止することができる。
【００２４】
さらに、本発明に係る雄ねじ探知具によれば、第二部材の内穴の直径がビットの外径よりも大きく形成されているので、第二部材は、その内穴にビットの先端部が挿入された状態で、ビットを中心とした任意の方向へ向くことができる。従って、第二部材の軸方向先端部に設けられた磁石を、ビットを中心とした任意の方向へ移動自在とすることができる。
【図面の簡単な説明】
【００２５】
【図１】本発明の雄ねじ探知具の実施例１の使用状態を示す側面図であり、一部を断面にして示している。
【図２】図１の雄ねじ探知具を用いて雄ねじを探知する状態を示す側面図であり、一部を断面にして示すと共に一部を省略して示している。
【図３】探知された雄ねじを抜く状態を示す側面図であり、一部を断面にして示すと共に一部を省略して示している。
【図４】本発明の雄ねじ探知具の実施例２の使用状態を示す側面図であり、一部を断面にして示すと共に一部を省略して示している。
【図５】本発明の雄ねじ探知具の実施例３の使用状態を示す側面図であり、一部を断面にして示すと共に一部を省略して示している。
【図６】図５の雄ねじ探知具の変形例の使用状態を示す側面図であり、一部を断面にして示すと共に一部を省略して示している。
【図７】図６の雄ねじ探知具を用いて雄ねじを抜く状態を示す側面図であり、一部を断面にして示すと共に一部を省略して示している。
【図８】本発明の雄ねじ探知具の実施例４の使用状態を示す側面図であり、一部を断面にして示すと共に一部を省略して示している。
【図９】図８の雄ねじ探知具において磁石が任意の方向へ移動した状態を示す側面図であり、一部を断面にして示すと共に一部を省略して示している。
【発明を実施するための形態】
【００２６】
以下、本発明の雄ねじ探知具の具体的実施例を図面に基づいて詳細に説明する。
【実施例１】
【００２７】
図１から図３は、本発明の雄ねじ探知具の実施例１を示す図であり、図１は使用状態を示す左側面図、図２は雄ねじ探知具を用いて雄ねじを探知する状態を示す左側面図、図３は探知された雄ねじを抜く状態を示す左側面図である。なお、図１は、一部を断面にして示しており、図２および図３は、一部を断面にして示すと共に一部を省略して示している。本実施例１の雄ねじ探知具１は、雄ねじ２の着脱を行うドライバー３に設けられるものであり、筒状の磁石４と、磁石４を支持する支持手段５とを備える。
【００２８】
本実施例１では、ドライバー３として、電動ドライバーが用いられる。この電動ドライバー３は、使用者が把持するハンドル部６と、モータなどが収容される本体部７と、本体部７に軸方向が前後方向へ沿うよう設けられるビット８とを備える。電動ドライバー３のハンドル部６には、モータを駆動させるスイッチであるトリガ９が設けられており、このトリガ９を引くことでビット８をその軸線まわりに回転させることができる。なお、電動ドライバー３には、雄ねじ２を締め付ける方向へビット８をその軸線まわりに回転させる場合と、雄ねじ２を緩める方向へビット８をその軸線まわりに回転させる場合とを切り替えるスイッチが設けられている。
【００２９】
磁石４は、筒状であればよく、本実施例１では軸方向両端部へ開口する短円筒状に形成されている。図１に示されるように、磁石４は、軸方向が前後方向へ沿うようにして配置される。磁石４は、前面がＳ極とされる一方、後面がＮ極とされている。なお、磁石４の外面には、磁石４の損傷などを抑制するために、コーティングが施されるのが好ましい。
【００３０】
磁石４の後面には、軸方向両端部へ開口する円筒状の筒体１０が設けられる。この筒体１０は、軸方向が前後方向へ沿うようにして配置され、前面が磁石４の後面に接着剤などで固定される。この際、筒体１０の内穴１１と磁石４の内穴１２とは、互いに対応して配置されており、互いに連通されている。
【００３１】
支持手段５は、収縮可能に構成されており、後述するように、ビット８の軸方向へ沿って収縮可能に電動ドライバー３に設けられる。この状態において、支持手段５には、磁石４がビット８の先端部から先端側へ離れた位置にビット８を中心とした任意の方向へ移動自在に支持される。本実施例１では、支持手段５は、磁石４をビット８の先端側へ付勢する部材から構成されており、たとえば、湾曲可能なコイルバネとされる。図１に示されるように、コイルバネ５は、軸方向が前後方向へ沿うようにして配置される。
【００３２】
コイルバネ５の軸方向先端部である前端部には、磁石４が設けられる。前述したように磁石４には筒体１０が固定されており、この筒体１０の外周に、コイルバネ５の前端が磁石４の後面に接触するようにして、コイルバネ５の前端部がはめ込まれる。この際、磁石４および筒体１０とコイルバネ５の前端部とを接着剤などで固定してもよい。このようにして磁石４が設けられたコイルバネ５は、取付部材１３を介して電動ドライバー３に設けられる。
【００３３】
取付部材１３は、軸方向両端部へ開口する短円筒状とされ、外径がコイルバネ５の外径よりも大きく形成されている。取付部材１３は、軸方向が前後方向へ沿って配置され、その前面にコイルバネ５の軸方向基端部である後端部が固定される。この固定は、たとえば、接着剤で行ってもよいし、テープを用いて行ってもよい。また、取付部材１３とコイルバネ５とは、アタッチメントなどを介して、着脱可能としてもよい。
【００３４】
このようにして構成された雄ねじ探知具１は、取付部材１３がビット８に通されてはめ込まれることで、電動ドライバー３に保持される。ビット８は、軸方向基端側から先端側へ行くに従って徐々に外径が細くなるテーパ状に形成されている。従って、ビット８の基端側へ取付部材１３を通すことで、取付部材１３の内穴１４よりもビット８の外径が大きい箇所で、取付部材１３がビット８に保持される。取付部材１３がビット８に通されることに伴ってコイルバネ５がビット８に通され、その後に取付部材１３がビット８に保持されることで、雄ねじ探知具１を電動ドライバー３に着脱可能に取り付けることができる。すなわち、コイルバネ５は、軸方向基端側から内部にビット８が挿入された状態で電動ドライバー３に設けられる。
【００３５】
雄ねじ探知具１が電動ドライバー３に設けられた状態では、コイルバネ５の軸方向先端側の一部がビット８の先端部から先端側へ突出している。従って、磁石４は、ビット８の先端部から先端側へ離れた位置に保持される。また、コイルバネ５の軸方向先端部に設けられた磁石４は、コイルバネ５が湾曲可能に構成されているので、ビット８を中心とした任意の方向へ移動自在とされる。すなわち、雄ねじ探知具１が電動ドライバー３に設けられた状態では、磁石４は、上下左右および斜め方向へ移動自在とされる。
【００３６】
次に、本実施例１の雄ねじ探知具１を用いた雄ねじ２の探知および取り外し方法について説明する。雄ねじ探知具１は、前述した構成であるので、磁石４にビット８を近づけてコイルバネ５を収縮させた際には、磁石４がビット８の軸方向基端側へ相対移動し、ビット８が磁石４の内穴１２を貫通可能とされる。従って、以下に示すようにして、建材１５にねじ込まれている雄ねじ２の探知および取り外しを行うことができる。図３に示されるように、雄ねじ２は、建材１５にねじ込まれている。より具体的には、建材１５を壁下地である柱材１６に固定するねじとされる。
【００３７】
本実施例１の建材１５は、板状の基材１７と、この基材１７の表面に設けられる化粧材１８とを備えて構成される。なお、化粧材１８は、基材１７の表面に生じる不陸をなくすためのパテ処理が施されたパテ処理部１９の形成後に、基材１７の表面に貼り付けられる。建材１５を設置する場合、基材１７に柱材１６に到達するよう雄ねじ２がねじ込まれ、この際に雄ねじ２が基材１７にめり込んで凹部が形成される。この凹部にパテ処理が施されてパテ処理部１９が形成されると共に、他の不陸部分にもパテ処理が施される。そして、雄ねじ２のねじ頭２０を隠すようにして、基材１７の表面に化粧材１８が貼り付けられる。従って、雄ねじ２を視認することができず、化粧材１８側からは雄ねじ２の位置が分からない状態とされている。
【００３８】
この場合、雄ねじ探知具１が電動ドライバー３に設けられた状態で、雄ねじ探知具１の磁石４を化粧材１８の表面に接触または近接させつつ、電動ドライバー３をたとえば上下左右へ動かせばよい。この際、磁石４と雄ねじ２とが磁石４の磁力により引き合うことで、雄ねじ２がねじ込まれている箇所に磁石４が導かれ、その箇所において磁石４の前面が雄ねじ２により化粧材１８に接着した状態となり、雄ねじ２の位置を検出することができる。磁石４による雄ねじ２の検出後、磁石４が化粧材１８に接着した状態において、電動ドライバー３を化粧材１８へ押し込むことで、ビット８がコイルバネ５の付勢力に対抗して雄ねじ２へ向けて押し込まれる。これにより、コイルバネ５が収縮しつつ、電動ドライバー３のビット８が磁石４の内穴１２を貫通後に化粧材１８およびパテ処理部１９を順に貫通して雄ねじ２に到達する。
【００３９】
ビット８が雄ねじ２に到達後、ビット８が雄ねじ２のねじ頭２０に形成されたビット係合部に押し当てられながら係合され、雄ねじ２を緩める方向へビット８をその軸線まわりに回転させることで、建材１５から雄ねじ２を取り外すことができる。なお、本実施例１では、雄ねじ２は、ねじ頭２０にビット係合部である十字溝が形成されている。雄ねじ２の取り外し後、雄ねじ探知具１の磁石４は、コイルバネ５の付勢力により元の位置に戻される。
【００４０】
本実施例１の場合、雄ねじ２が視認できない状態で建材１５にねじ込まれている際に、雄ねじ探知具１の磁石４を化粧材１８に接触または近接させつつ電動ドライバー３を動かすだけで、雄ねじ２の位置を容易に検出することができる。また、本実施例１の場合、雄ねじ探知具１の磁石４は、電動ドライバー３に設けられる湾曲可能はコイルバネ５によって、ビット８の先端部から先端側へ離れた位置に支持される。これにより、磁石４は、ビット８を中心とした任意の方向へ移動自在とされる。従って、磁石４による雄ねじ２の検出時に、電動ドライバー３を持つ手の手ブレや電動ドライバー３の重みにより電動ドライバー３が上下左右に動いたとしても、雄ねじ２がねじ込まれた箇所において化粧材１８に安定して磁石４を接着させることができる。すなわち、隠れている雄ねじ２の位置を正確に検出することができる。
【００４１】
また、本実施例１の場合、磁石４による雄ねじ２の検出後、電動ドライバー３を雄ねじ２へ押し込むことで、ビット８が磁石４の内穴１２を介して雄ねじ２に係合されるので、建材１５から雄ねじ２を容易に取り外すことができる。このようにして本実施例１では、雄ねじ探知具１と電動ドライバー３とが一体化されているので、従来のように道具を持ち替えることなく作業を行うことができ、たとえばリフォーム時の解体作業の作業性を向上させることができる。また、本実施例１の場合、支持手段５がコイルバネから構成されているので、簡易な構成で雄ねじ２の取り外し後に自動的に磁石４を元の位置にもどすことができ、次の雄ねじ２の検出に容易に取り掛かることができる。さらに、本実施例１の場合、電動ドライバー３に雄ねじ探知具１が着脱可能とされているので、既存の電動ドライバー３に容易に用いることができる。
【実施例２】
【００４２】
図４は、本発明の雄ねじ探知具の実施例２の使用状態を示す左側面図であり、一部を断面にして示すと共に一部を省略して示している。本実施例２の雄ねじ探知具１も、基本的には前記実施例１と同様である。そこで、以下においては、両者の異なる点を中心に説明し、同様の箇所については説明を省略する。また、前記実施例１と対応する箇所には、同一の符号を付して説明する。
【００４３】
本実施例２の雄ねじ探知具１は、雄ねじ２を取り外す際のコイルバネ５の収縮時にビット８とコイルバネ５とが絡まるのを防止する防止手段２１をさらに備える。防止手段２１は、筒状の部材から構成されており、本実施例２では、円筒状に形成されている。この円筒状の防止手段２１は、軸方向が前後方向へ沿うようにして、ビット８の先端部の外周を覆うよう配置される。
【００４４】
具体的には、コイルバネ５が磁石４をビット８の先端側へ付勢した状態において、防止手段２１は、その軸方向基端側の開口である後側の開口から内穴２２にビット８の先端部が差し込まれた状態で、コイルバネ５の内部に配置される。この際、防止手段２１は、コイルバネ５に接着剤などで固定される。防止手段２１のコイルバネ５への固定は、防止手段２１の先端部において、防止手段２１とコイルバネ５とを一点だけ固定するのが好ましい。なお、防止手段２１のコイルバネ５への固定は、防止手段２１の基端部においてなされてもよい。
【００４５】
本実施例２の雄ねじ探知具１は、前記実施例１の雄ねじ探知具１と同様にして使用される。すなわち、建材１５にねじ込まれた雄ねじ２を検出する際には、雄ねじ探知具１の磁石４を化粧材１８の表面に接触または近接させつつ、電動ドライバー３をたとえば上下左右へ動かせばよい。そして、雄ねじ２の検出後、電動ドライバー３を雄ねじ２へ向けて押し込めばよい。これにより、電動ドライバー３のビット８は、磁石４の内穴１２を貫通後、化粧材１８およびパテ処理部１９を順に貫通して雄ねじ２に到達する。この際、本実施例２の雄ねじ探知具１では、防止手段２１がビット８の先端部の外周を覆った状態で、コイルバネ５が収縮される。その後、雄ねじ２を緩める方向へビット８をその軸線まわりに回転させることで、建材１５から雄ねじ２を取り外すことができる。
【００４６】
本実施例２の場合、前記実施例１の雄ねじ探知具１と同様の作用効果を奏することに加えて、前述したように防止手段２１がコイルバネ５に固定されているので、ビット８が磁石４を貫通する前において、ビット８の先端部が防止手段２１の軸方向先端側の開口である前側の開口から前方へ突出するのを防止しつつ、ビット８が磁石４を貫通する直前ではコイルバネ５を収縮させることができる。従って、簡易な構成で、使用時のコイルバネ５とビット８との絡まりを防止することができる。
【実施例３】
【００４７】
図５は、本発明の雄ねじ探知具の実施例３の使用状態を示す左側面図であり、一部を断面にして示すと共に一部を省略して示している。本実施例３の雄ねじ探知具１も、基本的には前記実施例１と同様である。そこで、以下においては、両者の異なる点を中心に説明し、同様の箇所については説明を省略する。また、前記実施例１と対応する箇所には、同一の符号を付して説明する。
【００４８】
前記実施例１の雄ねじ探知具１は、コイルバネ５により磁石４がビット８の先端部から先端側へ離れた位置に支持されたが、本実施例３の雄ねじ探知具１は、コイルバネ５が防止手段２１を介して互いに接続される第一コイルバネ２３および第二コイルバネ２４を有している。ここで、雄ねじ探知具１の防止手段２１は、筒状の部材から構成されており、本実施例３では、円筒状に形成されている。この円筒状の防止手段２１は、軸方向が前後方向へ沿うようにして配置される。
【００４９】
第一コイルバネ２３は、軸方向が前後方向へ沿うようにして、防止手段２１の後側に配置される。第一コイルバネ２３と防止手段２１とは、第一コイルバネ２３の軸方向先端部と防止手段２１の軸方向基端部とが接着剤などで固定されて、互いに接続される。第一コイルバネ２３の軸方向基端部である後端部には、取付部材１３が設けられる。取付部材１３は、軸方向両端部へ開口する短円筒状とされ、外径が第一コイルバネ２３の外径よりも大きく形成されている。取付部材１３は、軸方向が前後方向へ沿って配置され、その前面が第一コイルバネ２３の後端部に固定される。この固定は、たとえば、接着剤で行ってもよいし、テープを用いて行ってもよい。また、取付部材１３と第一コイルバネ２３とは、アタッチメントなどを介して、着脱可能としてもよい。
【００５０】
第二コイルバネ２４は、湾曲可能とされており、軸方向が前後方向へ沿うようにして、防止手段２１の前側に配置される。第二コイルバネ２４と防止手段２１とは、第二コイルバネ２４の軸方向基端部と防止手段２１の軸方向先端部とが接着剤などで固定されて、互いに接続される。第二コイルバネ２４の軸方向先端部である前端部には、磁石４が設けられる。第二コイルバネ２４と磁石４との固定は、第二コイルバネ２４の前端部と磁石４の後面とが接着剤などで固定されることでなされる。
【００５１】
このようにして構成された本実施例３の雄ねじ探知具１は、取付部材１３がビット８に通されてはめ込まれることで、電動ドライバー３に保持される。前述したように電動ドライバー３のビット８がテーパ状に形成されているので、ビット８の基端側へ取付部材１３を通すことで、取付部材１３の内穴１４よりもビット８の外径が大きい箇所で、取付部材１３がビット８に保持される。取付部材１３がビット８に通されることに伴って第一コイルバネ２３がビット８に通され、その後に取付部材１３がビット８に保持されることで、雄ねじ探知具１を電動ドライバー３に着脱可能に取り付けることができる。
【００５２】
これにより、本実施例３の雄ねじ探知具１は、第一コイルバネ２３がその内部に軸方向基端側である後端側からビット８が通された状態で電動ドライバー３に設けられると共に、防止手段２１がその内穴２２に軸方向基端側の開口である後端側の開口からビット８の先端部が挿入された状態で配置される。さらに、第二コイルバネ２４は、防止手段２１を介して、ビット８の先端部から先端側へ延出して配置される。すなわち、第二コイルバネ２４は、防止手段２１がビット８の先端部よりも先端側へ延出して配置されるので、ビット８の先端部から先端側へ離れた位置に配置される。従って、第二コイルバネ２４の軸方向先端部に設けられる磁石４は、ビット８の先端部から先端側へ離れた位置に配置される。なお、前述したように第二コイルバネ２４が湾曲可能とされるので、第二コイルバネ２４の軸方向先端部に設けられる磁石４は、ビット８を中心とした任意の方向へ移動自在とすることができる。
【００５３】
本実施例３の雄ねじ探知具１は、前記実施例１の雄ねじ探知具１と同様にして使用される。すなわち、建材１５にねじ込まれた雄ねじ２を検出する際には、雄ねじ探知具１の磁石４を化粧材１８の表面に接触または近接させつつ、電動ドライバー３をたとえば上下左右へ動かせばよい。そして、雄ねじ２の検出後、電動ドライバー３を雄ねじ２へ向けて押し込めばよい。これにより、第一コイルバネ２３および第二コイルバネ２４が収縮しつつ、電動ドライバー３のビット８が磁石４の内穴１２を貫通後に化粧材１８およびパテ処理部１９を順に貫通して雄ねじ２に到達する。この際、本実施例３の雄ねじ探知具１では、防止手段２１は、その内穴２２にビット８の先端部が挿入された状態で、コイルバネ５が収縮される。その後、雄ねじ２を緩める方向へビット８をその軸線まわりに回転させることで、建材１５から雄ねじ２を取り外すことができる。
【００５４】
本実施例３の場合も、前述した構成で前記実施例１と同様にして使用されるので、前記実施例１の雄ねじ探知具１と同様の作用効果を奏する。さらに、本実施例３の場合、第一コイルバネ２３と第二コイルバネ２４とが防止手段２１を介して接続されるので、ビット８が磁石４を貫通する前において、ビット８の先端部が防止手段２１の軸方向先端側の開口である前側の開口から前方へ突出するのを防止しつつ、ビット８の先端部が磁石４を貫通する直前では第二コイルバネ２４を収縮させることができる。従って、簡易な構成で、使用時の第二コイルバネ２４とビット８との絡まりを防止することができる。
【００５５】
図６および図７は、雄ねじ探知具の実施例３の変形例を示す図であり、図６は使用状態を示す左側面図、図７は雄ねじを抜く状態を示す左側面図である。なお、図６および図７では、一部を断面にして示すと共に一部を省略して示している。
【００５６】
本変形例では、防止手段２１の軸方向先端部に磁石４への係合部２５が形成される一方、磁石４の軸方向基端部に防止手段２１の係合部２５と係合可能な被係合部２６が形成されている。図示例では、防止手段２１の軸方向先端部である前端部は、前方へ行くに従って縮径したテーパ面に形成されている。一方、磁石４の軸方向基端部である後端部の内周面は、後方へ行くに従って拡径するテーパ面に形成されている。なお、本変形例では、第二コイルバネ２４と防止手段２１とは、第二コイルバネ２４の軸方向基端部が防止手段２１の内穴２２に差し込まれた状態で、接着剤などにより固定される。一方、第二コイルバネ２４と磁石４とは、第二コイルバネ２４の軸方向先端部が磁石４の内穴１２に差し込まれた状態で、接着剤などにより固定される。
【００５７】
本変形例では、雄ねじ２を取り外す際の第二コイルバネ２４の収縮時に、防止手段２１に形成された係合部２５が磁石４に形成された被係合部２６に係合される。すなわち、防止手段２１の前端部のテーパ面が磁石４の後端部のテーパ面に当接される。従って、本変形例の場合、防止手段２１と磁石４との係合状態において、ビット８が防止手段２１を介して磁石４の内穴１２を貫通して雄ねじ２に係合されるので、ビット８の雄ねじ２への押し込みを安定して行うことができる。
【００５８】
ところで、前記実施例３およびその変形例では、第一コイルバネ２３のバネ定数Ｋ１と第二コイルバネ２４のバネ定数Ｋ２とがＫ１≦Ｋ２の関係を有している場合、ビット８の先端部が防止手段２１の内穴２２に挿入された状態でのビット８の先端と防止手段２１の軸方向先端との間の防止手段２１の軸方向長さａが、防止手段２１の軸方向先端と磁石４の軸方向基端との間の第二コイルバネ２４の軸方向長さｂよりも長く形成されるのが好ましい。
【００５９】
すなわち、前記実施例３では、第一コイルバネ２３および第二コイルバネ２４がビット８の先端側へ磁石４を付勢している状態において、防止手段２１の前後長さの内のビット８が配置されていない箇所の前後長さが、第二コイルバネ２４の前後長さよりも長く形成されている。一方、前記変形例では、第一コイルバネ２３および第二コイルバネ２４がビット８の先端側へ磁石４を付勢している状態において、防止手段２１の前後長さの内のビット８が配置されていない箇所の前後長さが、第二コイルバネ２４の前後長さの内の防止手段２１と磁石４との間の箇所の前後長さよりも長く形成されている。
【００６０】
この場合、ビット８が磁石４を貫通する前に、ビット８の先端部が防止手段２１の軸方向先端側の開口である前側の開口から前方へ突出するのをより確実に防止することができる。従って、第二コイルバネ２４とビット８との絡まりをより確実に防止することができる。
【００６１】
前記実施例３およびその変形例では、これとは逆に、第一コイルバネ２３のバネ定数Ｋ１と第二コイルバネ２４のバネ定数Ｋ２とがＫ１＞Ｋ２の関係を有していてもよい。この関係の場合、第二コイルバネ２４よりも第一コイルバネ２３が硬く形成されているので、ビット８が磁石４を貫通する前に、ビット８の先端部が防止手段２１の軸方向先端側の開口である前側の開口から前方へ突出するのをより確実に防止することができる。従って、第二コイルバネ２４とビット８との絡まりをより確実に防止することができる。
【実施例４】
【００６２】
図８および図９は、本発明の雄ねじ探知具の実施例４を示す図であり、図８は使用状態を示す左側面図、図９は磁石が任意の方向へ移動した状態を示す左側面図である。なお、図８および図９は、一部を断面にして示すと共に一部を省略して示している。本実施例４の雄ねじ探知具１も、基本的には前記実施例１と同様である。そこで、以下においては、両者の異なる点を中心に説明し、同様の箇所については説明を省略する。また、前記実施例１と対応する箇所には、同一の符号を付して説明する。
【００６３】
前記実施例１では、支持手段５は、コイルバネから構成されたが、本実施例４では、支持手段５は、磁石４をビット８の先端側へ付勢する第一部材２７と、この第一部材２７の先端部に設けられる筒状の第二部材２８とを有している。第一部材２７は、コイルバネから構成されており、軸方向が前後方向へ沿うようにして配置される。第二部材２８は、軸方向先端面である前面へ開口した円筒状に形成されており、軸方向が前後方向へ沿うようにして配置される。第二部材２８の軸方向基端面である後面には、前後方向へ貫通して円形状の貫通穴２９が形成されている。第二部材２８の内穴３０の直径および貫通穴２９の直径は、ビット８の外径よりも大きく形成されている。
【００６４】
第一部材２７は、軸方向が前後方向へ沿うようにして、第二部材２８の後側に配置される。第一部材２７と第二部材２８とは、第一部材２７の軸方向先端部と第二部材２８の軸方向基端面とが接着剤などで固定されて、互いに接続される。第一部材２７の軸方向基端部である後端部には、取付部材１３が設けられる。取付部材１３は、軸方向両端部へ開口する短円筒状とされ、外径が第一部材２７の外径よりも大きく形成されている。取付部材１３は、軸方向が前後方向へ沿って配置され、その前面が第一部材２７の後端部に固定される。この固定は、たとえば、接着剤で行ってもよいし、テープを用いて行ってもよい。また、取付部材１３と第一部材２７とは、アタッチメントなどを介して、着脱可能としてもよい。第二部材２８の軸方向先端部には、磁石４が設けられる。本実施例４では、第二部材２８の前面に磁石４の後面が接着剤などで固定される。
【００６５】
このようにして構成された本実施例４の雄ねじ探知具１は、取付部材１３がビット８に通されてはめ込まれることで、電動ドライバー３に保持される。前述したように電動ドライバー３のビット８がテーパ状に形成されているので、ビット８の基端側へ取付部材１３を通すことで、取付部材１３の内穴１４よりもビット８の外径が大きい箇所で、取付部材１３がビット８に保持される。取付部材１３がビット８に通されることに伴って第一部材２７がビット８に通され、その後に取付部材１３がビット８に保持されることで、雄ねじ探知具１を電動ドライバー３に着脱可能に取り付けることができる。
【００６６】
これにより、本実施例４の雄ねじ探知具１は、第一部材２７がその内部に軸方向基端側である後端側からビット８が通された状態で電動ドライバー３に設けられると共に、第二部材２８がその内穴３０に軸方向基端側からビット８の先端部が挿入された状態でビット８の先端部よりも先端側へ延出して配置される。第二部材２８は、その内穴３０に貫通穴２９を介してビット８の先端部が挿入された状態で、ビット８の先端部よりも先端側へ延出される。従って、第二部材２８の軸方向先端部に設けられる磁石４は、ビット８の先端部から先端側へ離れた位置に配置される。
【００６７】
本実施例４の雄ねじ探知具１は、前記実施例１の雄ねじ探知具１と同様にして使用される。すなわち、建材１５にねじ込まれた雄ねじ２を検出する際には、雄ねじ探知具１の磁石４を化粧材１８の表面に接触または近接させつつ、電動ドライバー３をたとえば上下左右へ動かせばよい。そして、雄ねじ２の検出後、電動ドライバー３を雄ねじ２へ向けて押し込めばよい。これにより、第一部材２７が収縮しつつ、電動ドライバー３のビット８が磁石４の内穴１２を貫通後に化粧材１８およびパテ処理部１９を順に貫通して雄ねじ２に到達する。この際、本実施例４の雄ねじ探知具１では、ビット８は、第二部材２８の内穴３０を介して磁石４の内穴１２を貫通することになる。その後、雄ねじ２を緩める方向へビット８をその軸線まわりに回転させることで、建材１５から雄ねじ２を取り外すことができる。
【００６８】
本実施例４の場合も、前述した構成で前記実施例１と同様にして使用されるので、前記実施例１の雄ねじ探知具１と同様の作用効果を奏する。また、本実施例４の場合、第二部材２８は、その内穴３０の直径および貫通穴２９の直径がビット８の外径よりも大きく形成されているので、内穴３０にビット８の先端部が挿入された状態で、ビット８を中心とした任意の方向へ向くことができる。従って、第二部材２８の軸方向先端部に設けられた磁石４は、ビット８を中心とした任意の方向へ移動自在とすることができる。さらに、本実施例４の場合、コイルバネである第一部材２７と磁石４とが第二部材２８を介して接続される構成であるので、簡易な構成で、使用時の第一部材２７であるコイルバネとビット８との絡まりを防止することができる。
【００６９】
なお、本発明は、前記各実施例の構成に限ることなく、本発明の思想の範囲を逸脱しない範囲で適宜変更することができることは言うまでもない。
【産業上の利用可能性】
【００７０】
本発明は、リフォーム工事などにおいて建材である石膏ボードを剥がす作業を行う際に好適に適用される。
【符号の説明】
【００７１】
１  雄ねじ探知具
２  雄ねじ
３  電動ドライバー（ドライバー）
４  磁石
５  コイルバネ（支持手段）
８  ビット
１２  内穴
２１  防止手段
２２  内穴
２３  第一コイルバネ
２４  第二コイルバネ
２５  係合部
２６  被係合部
２７  第一部材
２８  第二部材
２９  貫通穴
３０  内穴
【図１】
2019018300.tif 000003
【図２】
2019018300.tif 000004
【図３】
2019018300.tif 000005
【図４】
2019018300.tif 000006
【図５】
2019018300.tif 000007
【図６】
2019018300.tif 000008
【図７】
2019018300.tif 000009
【図８】
2019018300.tif 000010
【図９】
2019018300.tif 000011